(57)【特許請求の範囲】
【請求項１】
無目の上側と下側にパネル材が配され段窓されてなるパネル材支持構造において、上側のパネル材を保持するために無目の外側に設けられた取付枠の底板部に、２個のセッティングブロックを介在させて上側のパネル材を配置するとともに、前記底板部を隔ててこれらセッティングブロックのそれぞれ真下の位置にそれぞれ自重伝達ブロックを介在させ、前記底板部と下側のパネル材とにこれら自重伝達ブロックが挿まれるように下側のパネル材を配置してなることを特徴とするパネル材支持構造。
【請求項２】
前記底板部は、前記自重伝達ブロックが配されている以外の部位に係止部を有し、該係止部の形状に対応する形状の係止部を有する押縁が、前記無目に取り付られていて、該押縁を用いて、下側のパネル材が保持されてなる請求項１のパネル材支持構造。
【請求項３】
前記底板部は、断面略Ｌ字状の係止部を２列有する請求項２のパネル材支持構造。
【発明の詳細な説明】
【０００１】
【発明の属する技術分野】
本発明は、建築物、構造物のカーテンウォール構法などにおけるパネル材支持構造に関する。
【０００２】
【従来の技術】
図１２、１３は、カーテンウォール構法の従来例を示す図であり、パネル材としての板ガラス１ａ、１ｂ、１ｃ、１ｄ、１ｅ、１ｆ、１ｇ、１ｈ、１ｉが配されている。
【０００３】
パネル材として板ガラス（たとえば、１ａ、１ｂ、１ｃ）を縦方向に複数枚配する場合（これを段窓という。）、上部の板ガラスと下部の板ガラスとの間に無目２２と称するサッシ部材を配する。
【０００４】
この無目２２は、その両端に配されている方立１６と方立１６とにより支持されていて、上部の板ガラスの自重に耐えるように断面剛性が設定してある。無目は、方立と縦枠とにより、又は縦枠と縦枠とにより支持されることもある。
【０００５】
無目２２の室外側には、上部の板ガラス１ａ及び下部の板ガラス１ｂを保持するための取付枠２３及び取付枠２６を設けてある。取付枠２３と取付枠２６との間には、無目２２、特に、無目２２の室外側に設けられた取付枠２３、２６が変形や破壊をしないように、構造補強部２７が設けてあり、これによる寸法Ｊが無目２２の見付け寸法Ｌをより大きくしている。
【０００６】
上部の板ガラス１ａの自重は、この板ガラスの下部に配置されたセッティングブロック１２、１２を介して無目２２に伝わる。この自重による力は、無目２２に曲げ荷重として作用するので、この曲げ荷重に耐えるように無目２２の断面剛性が設定される。
【０００７】
板ガラスの幅寸法が大きくなると無目が長くなり、梁としての無目のスパンが長くなるので、無目の断面剛性をより上げる必要があり、構造補強部２７が設けられていて、この構造補強部２７による寸法Ｊのために無目の見付け寸法Ｌもより大きく設定される。
【０００８】
図１４は、サッシの場合の従来のパネル材支持構造の正面図であり（その断面図は図１２と同様である。）、上下の横枠１８、１８と左右の縦枠１９、１９とからなる開口部の中央に縦方向に方立１７が設けてあり、縦枠１９と方立１７との間には無目２２が渡してある。
【０００９】
無目の室外側に設けられた構造補強部２７の上にセッティングブロック１２が配置してあり、さらに、その上に板ガラス１ｊ、１ｎが配置されている。無目の下側には板ガラス１ｋ、１ｍが配置されている。この場合の荷重の加わり方は図１３に示した場合と同様である。
【００１０】
無目の見付け寸法が大きくなると、意匠性が低下し、しかも、見付け寸法の大きな無目はコスト的にも高くなる。
【００１１】
【発明が解決しようとする課題】
本発明は前述の課題を解決すべくなされたものであり、意匠性に優れかつ安価なパネル材支持構造の提供を目的とする。
【００１２】
【課題を解決するための手段】
本発明は、無目の上側と下側にパネル材が配され段窓されてなるパネル材支持構造において、上側のパネル材を保持するために無目の外側に設けられた取付枠の底板部に、２個のセッティングブロックを介在させて上側のパネル材を配置するとともに、前記底板部を隔ててこれらセッティングブロックのそれぞれ真下の位置にそれぞれ自重伝達ブロックを介在させ、前記底板部と下側のパネル材とにこれら自重伝達ブロックが挿まれるように下側のパネル材を配置してなることを特徴とするパネル材支持構造を提供する。
【００１３】
【発明の実施の形態】
前記底板部は、前記自重伝達ブロックが配されている以外の部位に係止部を有し、該係止部の形状に対応する形状の係止部を有する押縁が、前記無目に取り付られていて、該押縁を用いて、下側のパネル材が保持されてなるのが好ましい。パネル材としては、板ガラスなどが用いられる。前記底板部は、断面略Ｌ字状の係止部を２列有するのが好ましい。
【００１４】
本発明によれば、無目に対して上部の板ガラスの自重による曲げ応力が働かないように、上部のパネル材の自重を支えるセッティングブロックの位置と左右の位置（左右の位置とは、パネル材の主表面における左右の位置をいう）が重なるように、かつ無目の取付枠の底板部と下側のパネル材に挿まれるように自重伝達ブロックを配してあるので、無目の見付け寸法を小さくできる。
【００１５】
【実施例】
図１〜図５により、本発明のパネル材支持構造の第１実施例を説明する。これらの図は、カーテンウォール構法において本発明のパネル材支持構造を用いた場合の実施例を示す図である。
【００１６】
建物躯体（不図示）に複数本の方立１６が鉛直方向に固定されていて、これら方立間に複数本の無目２が架設固定され、方立１６と無目２とにより囲まれる開口部にパネル材としての板ガラスが段窓してある。
【００１７】
無目２の外側には、上側の板ガラス１ａを保持するための取付枠３が、無目２と一体的に設けられている。取付枠３の底板部４には、２個のセッティングブロック１２、１２が配置され、そのセッティングブロック１２、１２の上に板ガラス１ａが配置されている。板ガラス１ａの周縁部と取付枠３との隙間にはバックアップ材１４ｃ、１４ｄが挿入され、その上部の板ガラスの中央側にシール材１５が充填されている。
【００１８】
取付枠３の底板部４には、断面略Ｌ字状の係止部５ａ、５ｂが設けられていて、これら係止部５ａ、５ｂの形状に対応する形状の係止部７ａ、７ｂを、その天井部１０に有する押縁６が、無目２に取付けられている。
【００１９】
図３にも示すように、取付枠３の係止部５ａ、５ｂには切り欠き８があり、押縁６の係止部７ａ、７ｂ及び天井部１０には切り欠き９がある。
【００２０】
自重伝達ブロック１３、１３が、切り欠き８、９の位置で、取付枠３の底板部４と下側の板ガラス１ｂに直接に、かつセッティングブロック１２、１２と左右の位置が一致するようにして配されるので、上側の板ガラス１ａの荷重は、取付枠３の底板部４に対して曲げ応力としては働かない。
【００２１】
上側の板ガラス１ａの荷重は、無目２に対して曲げ応力としては働かないので、図１２に示す従来例のような構造補強部２７が不要であり、また、間隙部２８も不要である。
【００２２】
本発明のパネル材支持構造の見付け寸法Ｍは、図１２に示す従来例のパネル材支持構造の見付け寸法Ｌに比較して大幅に小さくなる。
【００２３】
セッティングブロックとしては、硬度９０度程度のネオプレンゴムなどが用いられ、自重伝達ブロックとしては、硬度９０度程度のネオプレンゴムなどの他に、硬度９０度程度のネオプレンゴム製のセッティングブロックを上下面のテフロンシートではさんだ構成にしたもの、テフロン製のブロック、高強度ポリカーボネート製のブロックなどを使用できる。無目及び押縁としては、アルミニウム合金やステンレス鋼などを用いた金属製のものなどを使用できる。
【００２４】
図６〜図９により、本発明のパネル材支持構造の第１実施例の組立て工程を説明する。
第１工程として、無目２にバックアップ材１４ａと下側の板ガラス１ｂを取り付ける。また、取付枠３の底板部４において係止部５ａ、５ｂが設けられていない切り欠き８（図３を参照のこと）の真上の位置でセッティングブロック１２を取付枠３に取り付ける。
【００２５】
第２工程として、取付枠３の底板部４と下側の板ガラス１ｂとの間隙であって、切り欠き９となる位置に、自重伝達ブロック１３を取り付ける。
【００２６】
第３工程として、押縁６の係止部７ａ、７ｂを無目２の取付枠３の係止部５ａ、５ｂに組み合わせるようにして、押縁６を無目２の取付枠３に取り付ける。なお、図が分かりやすいように、図８、図９においては、自重伝達ブロック１３の記載を省略してある。
【００２７】
第４工程として、バックアップ材１４ｂを取り付ける。次に、バックアップ材１４ｃと上側の板ガラス１ａを取り付ける。その後は、図１に示してあるように、バックアップ材１４ｄを取り付け、シール材１５、１５を充填する。
【００２８】
図１０により、本発明のパネル材支持構造の第２実施例を説明する。この図は、嵌殺のサッシにおいて本発明のパネル材支持構造を用いた場合の実施例を示す図である。
【００２９】
上下の横枠１８、１８と左右の縦枠１９、１９とからなる開口部の中央に縦方向に方立１７が設けてあり、縦枠１９と方立１７との間には無目３２、３２が渡してあり、無目３２、３２の上部には板ガラス１ｊ、１ｎが、無目３２、３２の下部には板ガラス１ｋ、１ｍが配置してある。無目３２、３２の断面の構造は図１に示した第１実施例の構造と同様であり、その効果も同様で、無目の見付け寸法Ｍ２が大幅に小さくなる。
【００３０】
図１１は、比較例に係るものであり、図１０に示す第２実施例において、自重伝達ブロックを用いなかった場合である。この比較例においては、無目に構造補強部を設けていないにも拘らず、自重伝達ブロックを用いていないので、上部の板ガラス１ｊ、１ｎによる荷重のために、無目４２に曲げ応力が働き、無目４２が曲げられてしまう。
【００３１】
【発明の効果】
本発明によれば、意匠性に優れコスト上でもより安価なパネル材支持構造を提供できる。
【図面の簡単な説明】
【図１】図２のパネル材支持構造の断面図
【図２】本発明のパネル材支持構造の第１実施例の正面図
【図３】図２のパネル材支持構造の主要部品の斜視図
【図４】図２のパネル材支持構造のＡ−Ａ線に沿った断面図
【図５】図２のパネル材支持構造のＢ−Ｂ線に沿った断面図
【図６】図２のパネル材支持構造の組立ての第１工程を説明する断面図
【図７】図２のパネル材支持構造の組立ての第２工程を説明する断面図
【図８】図２のパネル材支持構造の組立ての第３工程を説明する断面図
【図９】図２のパネル材支持構造の組立ての第４工程を説明する断面図
【図１０】本発明のパネル材支持構造の第２実施例の正面図
【図１１】比較例に係るパネル材支持構造の正面図
【図１２】図１３のパネル材支持構造の断面図
【図１３】従来のパネル材支持構造の正面図
【図１４】従来の別のパネル材支持構造の正面図
【符号の説明】
１ａ、１ｂ、１ｃ、１ｄ、１ｅ、１ｆ、１ｇ、１ｈ、１ｉ、１ｊ、１ｋ、１ｍ、１ｎ：板ガラス
２、２２、３２、４２：無目
３、２３、２６：取付枠
４：底板部
５ａ、５ｂ、７ａ、７ｂ：係止部
６：押縁
８、９：切り欠き
１０：天井部
１１ａ、１１ｂ、１１ｃ：凸部
１２：セッティングブロック
１３：自重伝達ブロック
１４ａ、１４ｂ、１４ｃ、１４ｄ：バックアップ材
１５：シール材
１６、１７：方立
１８：横枠
１９：縦枠
２７：構造補強部
２８：間隙部
【図１】
0003608297.tif 000002
【図２】
0003608297.tif 000003
【図３】
0003608297.tif 000004
【図４】
0003608297.tif 000005
【図５】
0003608297.tif 000006
【図６】
0003608297.tif 000007
【図７】
0003608297.tif 000008
【図８】
0003608297.tif 000009
【図９】
0003608297.tif 000010
【図１０】
0003608297.tif 000011
【図１１】
0003608297.tif 000012
【図１２】
0003608297.tif 000013
【図１３】
0003608297.tif 000014
【図１４】
0003608297.tif 000015